(57)【要約】【課題】射撃訓練で発生する打ち殻薬莢の回収作業や保管作業を容易に行うことができる何らかの手段を提供する。【解決手段】打ち殻薬莢収納トレー３は、受け皿３１と、外壁３３と、取っ手３７と、を備えている。受け皿３１は、弾丸の打ち殻薬莢が収まる窪み３５が上面に行列状に複数設けられている。この窪み３５は、回収対象となる弾丸の打ち殻薬莢の外口径に合わせた大きさになっている。側壁３３は、窪み３５が設けられた面が露出されるよう受け皿３１の外周を囲っている。この外壁３３により、弾丸の打ち殻薬莢の回収作業時に、受け皿３１上に導入された打ち殻薬莢を揺動しても、打ち殻薬莢をこぼすことなく窪み３５に納めることができる。また、取っ手３７は、打ち殻薬莢収納トレー３を個別に引き出す。【選択図】図１
2008075917.tif 000002
【特許請求の範囲】
【請求項１】
弾丸の打ち殻薬莢が収まる窪みが上面に複数設けられた受け皿と、
前記窪みが設けられた面が露出されるよう受け皿の外周を囲う側壁と、
を有し、
前記受け皿上に導入された打ち殻薬莢を揺動させることにより打ち殻薬莢が窪みに収まることを特徴とする打ち殻薬莢収納トレー。
【請求項２】
弾丸の打ち殻薬莢が収まる窪みが上面に複数設けられた受け皿と、前記窪みが設けられた面が露出されるよう受け皿の外周を囲う側壁と、を有し、前記受け皿上に導入された打ち殻薬莢を揺動させることにより打ち殻薬莢が窪みに収まる打ち殻薬莢収納トレーを複数備え、
前記複数の打ち殻薬莢収納トレーを段状に重ねて収納する箱体と、
を含むことを特徴とする打ち殻薬莢収納箱。
【請求項３】
請求項２に記載の打ち殻薬莢収納箱であって、
前記段状に重ねられた打ち殻薬莢収納トレーの受け皿間の間隔は、前記打ち殻薬莢の直径よりも短いことを特徴とする打ち殻薬莢収納箱。
【請求項４】
請求項２又は３に記載の打ち殻薬莢収納箱であって、
前記打ち殻薬莢収納トレーを個別に支持し、前記打ち殻薬莢収納トレーを個別に引き出し自在とするガイドを備えることを特徴とする打ち殻薬莢収納箱。
【発明の詳細な説明】
【技術分野】
【０００１】
本発明は、銃を用いた射撃訓練において発生する弾丸の打ち殻薬莢の管理に用いられる打ち殻薬莢収納トレー及び打ち殻薬莢収納箱に関する。
【背景技術】
【０００２】
我が国の自衛隊等では、銃を用いた射撃訓練を行うことがある。自衛隊では安全保安上の理由から、射撃訓練前の弾丸の数と、射撃訓練後の打ち殻薬莢の数と、が一致するよう厳重にチェックすることが要求される（特許文献１）。
【０００３】
【特許文献１】実開平０５−０７９２８６号公報
【発明の開示】
【発明が解決しようとする課題】
【０００４】
一般的に、弾丸は、ダンボール紙等で出来た箱（以下、「ダンボール箱」と呼ぶ）に収納されている。射撃訓練では、この箱に収納された弾丸を機関銃等にセットして射撃に用いている。そして、射撃訓練後には、周囲に散乱した打ち殻薬莢が回収される。この場合、回収された打ち殻薬莢は、弾丸が収納されていた元のダンボール箱に収納される。そして、収納された打ち殻薬莢の数が、射撃訓練前の弾丸の数と一致しているか否かが目視確認等によりチェックされる。
【０００５】
そして、もし、一致していなければ（足りなければ）、一致するまで（足りるまで）、射撃訓練をした場所にて打ち殻薬莢を探す。また、一致していたら、打ち殻薬莢が収納されたダンボール箱を所定の保管場所にて保管する。このように保管された打ち殻薬莢は再利用出来ないように変形させた状態で定期的に回収業者により回収される。
【０００６】
しかしながら、上述したような元のダンボール箱は、比較的小さく少量ずつしか回収できない。このため、数千〜数万発におよぶ打ち殻薬莢をダンボール箱に回収しつつ数えるのは非常に煩わしい作業となる。
【０００７】
また、前述した打ち殻薬莢に極微少の火薬が残留することがある。打ち殻薬莢は真鍮で出来ているため打ち殻薬莢どうしがぶつかり合っても火花が飛ぶことは無いが、保管場所で打ち殻薬莢を裸の状態で保管して、打ち殻薬莢が他の異種金属と擦れたりするのは好ましくない。したがって、射撃訓練で発生する打ち殻薬莢の回収作業や保管作業を容易に行うことができる何らかの手段が望まれる。
【課題を解決するための手段】
【０００８】
本発明は、弾丸の打ち殻薬莢が収まる窪みが上面に複数設けられた受け皿と、前記窪みが設けられた面が露出されるよう受け皿の外周を囲う側壁と、を有し、前記受け皿上に導入された打ち殻薬莢を揺動させることにより打ち殻薬莢が窪みに収まることを特徴とする。
【０００９】
また、本発明は、弾丸の打ち殻薬莢が収まる窪みが上面に複数設けられた受け皿と、前記窪みが設けられた面が露出されるよう受け皿の外周を囲う側壁と、を有し、前記受け皿上に導入された打ち殻薬莢を揺動させることにより打ち殻薬莢が窪みに収まる打ち殻薬莢収納トレーを複数備え、前記複数の打ち殻薬莢収納トレーを段状に重ねて収納する箱体と、を含むことを特徴とする。
【００１０】
また、本発明は、前記段状に重ねられた打ち殻薬莢収納トレーの受け皿間の間隔は、前記打ち殻薬莢の直径よりも短いことが望ましい。
【００１１】
また、本発明は、前記打ち殻薬莢収納トレーを個別に支持し、前記打ち殻薬莢収納トレーを個別に引き出し自在とするガイドを備えることが望ましい。
【発明の効果】
【００１２】
本発明によれば、打ち殻薬莢の回収作業や保管作業を容易に行うことができる。
【発明を実施するための最良の形態】
【００１３】
以下、本実施形態に係る打ち殻薬莢収納トレー及び打ち殻薬莢収納箱について、図面を用いて詳細に説明する。なお、本実施形態では、我が国の自衛隊における射撃訓練時に使用されることを想定する。図１は、本実施形態に係る打ち殻薬莢収納箱１の斜視図である。また、図１の（ａ）は打ち殻薬莢収納箱１の蓋７が閉じた状態の図であり、図１の（ｂ）は打ち殻薬莢収納箱１の蓋７が開いた状態の図である。
【００１４】
図１に示す打ち殻薬莢収納箱１は、打ち殻薬莢収納トレー３と、収納箱５と、蓋７と、を備えている。収納箱５と、蓋７は、ヒンジ６でピボット移動自在に連結されている。後述するように、打ち殻薬莢収納箱１は、複数の打ち殻薬莢収納トレー３（３−１〜３−３）を備えている。
【００１５】
また、複数の打ち殻薬莢収納トレー３（３−１〜３−３）は、段状に重ねられて収納される。さらに、後述するように、段状に重ねられた打ち殻薬莢収納トレー３（３−１〜３−３）の受け皿３１（３１−１〜３１−３）間の間隔は、図４に示すように、打ち殻薬莢９（９−１〜９−３）の直径よりも短く設定されている。
【００１６】
打ち殻薬莢収納トレー３の構成を、図２を用いて説明する。図２は、本実施形態に係る打ち殻薬莢収納トレー３の三面図である。図２に示す打ち殻薬莢収納トレー３は、受け皿３１と、外壁３３と、取っ手３７と、を備えている。
【００１７】
受け皿３１は、弾丸の打ち殻薬莢が収まる窪み３５が上面に行列状に複数設けられている。この窪み３５は、回収対象となる弾丸の打ち殻薬莢の外口径に合わせた大きさになっている。なお、本実施形態に示す窪み３５は、矩形形状であるが打ち殻薬莢の形状に合わせた半円形の窪みであっても良い。
【００１８】
側壁３３は、窪み３５が設けられた面が露出されるよう受け皿３１の外周を囲っている。後述するように、この外壁３３により、弾丸の打ち殻薬莢の回収作業時に、受け皿３１上に導入された打ち殻薬莢を揺動しても、打ち殻薬莢をこぼすことなく窪み３５に納めることができる。また、取っ手３７は、打ち殻薬莢収納トレー３を個別に引き出す。
【００１９】
収納箱５の構成を、図３を用いて説明する。図３は、本実施形態に係る打ち殻薬莢収納箱１の収納箱５の三面図である。収納箱５は、筐体５１と、ガイド５３−１〜５３−９と、施錠フック５５−１及び５５−３と、を備えている。
【００２０】
筐体５１は、金属製の筐体であり、打ち殻薬莢の残留火薬による火花等で破損しないような素材（例えば鋼鉄等）が望ましい。ガイド５３−１〜５３−９は、前述した複数の打ち殻薬莢収納トレー３（３−１〜３−３）を個別に支持する。また、このガイド５３−１〜５３−９は、複数の打ち殻薬莢収納トレー３（３−１〜３−３）を個別に引き出し自在とする。また、前述したように、段状に重ねられた打ち殻薬莢収納トレー３（３−１〜３−３）の受け皿３１（３１−１〜３１−３）間の間隔は、打ち殻薬莢の直径よりも短く設定されている。
【００２１】
施錠フック５５−１（及び５５−３）は、前述した、収納箱５と、蓋７と、を施錠（又は開錠）する。以下、本実施形態に係る打ち殻薬莢収納トレー３及び打ち殻薬莢収納箱の使用形態（「回収作業」及び「収納作業」）について図１〜図４を用いて説明する。
【００２２】
「回収作業」
前述したように、銃を用いた射撃訓練後には、周囲に打ち殻薬莢が散乱する。このとき、自衛隊員等は、周囲に散乱した打ち殻薬莢を回収しつつ、回収した打ち殻薬莢を打ち殻薬莢収納トレー３の受け皿３１上に導入する。ここで導入する打ち殻薬莢の数は、後述する揺動作業の際に支障が無ければ何個であっても構わない。
【００２３】
そして、打ち殻薬莢がある程度貯まってきたら、自衛隊員等は、受け皿３１上に導入された打ち殻薬莢を揺動させる。このように揺動された打ち殻薬莢は、受け皿３１の窪み３５に収まる（なお、打ち殻薬莢を回収しつつ揺動しても良い）。
【００２４】
また、前述したように、打ち殻薬莢収納トレー３には、窪み３５が設けられた面が露出されるよう受け皿３１の外周を囲っている側壁３３があるため、揺動により受け皿３１上に導入された打ち殻薬莢がこぼれることが無い（又は防止される）。
【００２５】
このような回収作業を続け、受け皿３１上の窪み３５を満杯にする（又は決められた数量にする）。そして、打ち殻薬莢収納トレー３が満杯になったら、他のトレーを用いて回収作業を進める。
【００２６】
このように、本実施形態に係る打ち殻薬莢収納トレー３は、回収時に、受け皿３１上に打ち殻薬莢を何個でも導入でき、かつ、揺動動作により窪み３５に打ち殻薬莢が収まるため、回収作業の手間を大幅に減らすことができる。
【００２７】
「収納作業」
次に、収納作業について説明する。前述した回収作業により、打ち殻薬莢が満杯になった打ち殻薬莢収納トレー３−１から収納する。また収納は、図４に示すように、打ち殻薬莢収納箱５の上段から行う。前述したように、段状に重ねられた打ち殻薬莢収納トレー３（例えば３−１と３−２）の受け皿３１（３１−１及び３１−２）間の間隔は、打ち殻薬莢９−１〜９−３の直径よりも短い。このため、収納後に、打ち殻薬莢９−１〜９−３が、隣接する打ち殻薬莢と接触したり他の異種金属と擦れたりすることは無い。
【００２８】
このように、打ち殻薬莢収納トレー３（３−１〜３−３）が収納された、打ち殻薬莢収納箱１は、蓋７を閉じて、施錠フック５５−１及び５５−３により施錠される。そして、施錠された状態で、保管場所等に保管され、定期的に回収業者に回収される。保管場所に保管されているときには、打ち殻薬莢９−１〜９−３が、隣接する打ち殻薬莢と接触したり他の異種金属と擦れたりすることは無い（又は防止される）。
【００２９】
したがって、本実施形態に係る打ち殻薬莢収納トレー及び打ち殻薬莢収納箱は、射撃訓練で発生する打ち殻薬莢の回収作業や保管作業を容易に行うことができる。なお、本実施形態では、自衛隊における射撃訓練を用いて説明したが、他の射撃訓練（例えば警察等）で用いても良いことは言うまでも無い。
【図面の簡単な説明】
【００３０】
【図１】本実施形態に係る打ち殻薬莢収納箱１の斜視図である。
【図２】本実施形態に係る打ち殻薬莢収納トレー３の三面図である。
【図３】本実施形態に係る打ち殻薬莢収納箱１の収納箱５の三面図である。
【図４】本実施形態に係る複数の打ち殻薬莢収納トレー３（３−１〜３−３）を打ち殻薬莢収納箱１に段状に収納したときの断面図である。
【符号の説明】
【００３１】
１  打ち殻薬莢収納箱、３  打ち殻薬莢収納トレー、５  収納箱、７  蓋。
【図１】
2008075917.tif 000003
【図２】
2008075917.tif 000004
【図３】
2008075917.tif 000005
【図４】
2008075917.tif 000006